(57)【要約】【課題】  本発明は、簡易な構成でテレビジョン信号の信号品質を改善する。【解決手段】  本発明は、充電器３に装着された携帯電話機２の電話機用信号受信アンテナ３０で第１のテレビジョン信号Ｓ１Ａを受信したとき、充電器３の充電器用信号受信アンテナ３１で第２のテレビジョン信号Ｓ１Ｂを受信して当該携帯電話機２で第１及び第２のテレビジョン信号Ｓ１Ａ及びＳ１Ｂをダイバーシチ処理することにより、携帯電話機２を単独でテレビジョン放送の受信機とする際に用いる電話機用信号受信アンテナ３０を、当該携帯電話機２及び充電器３を合わせてテレビジョン放送の受信機とする際にも兼用することで、テレビジョン信号受信システムに対する信号受信アンテナの本数を減らし、簡易な構成でテレビジョン信号の信号品質を改善することができる。【選択図】        図３
2005136724.tif 000002
【特許請求の範囲】
【請求項１】
テレビジョン放送の受信機でなる携帯端末と、当該携帯端末を着脱可能に装着する信号受信装置とから構築されたテレビジョン信号受信システムであって、
上記携帯端末は、
送信局から送信されたテレビジョン信号を第１のテレビジョン信号として受信する第１の信号受信アンテナと、
上記信号受信装置への装着時、当該信号受信装置から上記テレビジョン信号を第２のテレビジョン信号として受信して送信された当該第２のテレビジョン信号を取り込む信号取込手段と、
上記信号受信装置への装着時、上記第１の信号受信アンテナで受信した上記第１のテレビジョン信号と、上記信号取込手段で取り込んだ上記第２のテレビジョン信号とをダイバーシチ処理するダイバーシチ処理手段と、
上記信号受信装置への未装着時、上記第１の信号受信アンテナで受信した上記第１のテレビジョン信号のみを放送番組の視聴用に信号処理し、上記信号受信装置への装着時、上記ダイバーシチ処理手段による上記第１のテレビジョン信号と上記第２のテレビジョン信号との上記ダイバーシチ処理結果を上記信号処理する信号処理手段と
を具え、
上記信号受信装置は、
上記送信局から送信された上記テレビジョン信号を上記第２のテレビジョン信号として受信する第２の信号受信アンテナと、
上記携帯端末の装着時、上記第２の信号受信アンテナで受信した上記第２のテレビジョン信号を上記携帯端末に送出する信号送出手段と
を具えることを特徴とするテレビジョン信号受信システム。
【請求項２】
上記携帯端末の上記ダイバーシチ処理手段は、
上記信号処理手段で上記信号処理する上記第１のテレビジョン信号と上記第２のテレビジョン信号とを切り替える信号切替手段と、
上記第１及び第２の信号受信アンテナの受信電界強度をそれぞれ定期的に検出する受信電界強度検出手段と、
上記受信電界強度検出手段で検出した上記受信電界強度に基づいて、上記第１及び第２の信号受信アンテナのうち当該受信電界強度の大きい一方の第１又は第２の信号受信アンテナで受信した上記第１又は第２のテレビジョン信号を選択するように上記信号切替手段を制御して、切替ダイバーシチ処理を実行する切替制御手段と
を具えることを特徴とする請求項１に記載のテレビジョン信号受信システム。
【請求項３】
上記携帯無線機の上記ダイバーシチ処理手段は、
上記第１及び第２のテレビジョン信号の受信Ｓ／Ｎ比を検出する受信Ｓ／Ｎ比検出手段と、
上記第１及び第２のテレビジョン信号を、上記受信Ｓ／Ｎ比検出手段で検出した上記受信Ｓ／Ｎ比に応じた重付係数を乗算して重付加算することにより最大比合成ダイバーシチ処理を実行する合成手段と
を具えることを特徴とする請求項１に記載のテレビジョン信号受信システム。
【請求項４】
上記携帯端末は、
所定位置に上記第１の信号受信アンテナが配置された端末筐体と、
上記端末筐体の正面板に設けられ、上記放送番組の番組映像を表示する表示手段と
を具え、
上記信号受信装置は、
所定面板の一端部に上記端末筐体が上記正面板を上記一端部側に向けて装着される装着部を有し、当該所定面板の他端部に上記第２の信号受信アンテナが配置された装置筐体
を具えることを特徴とする請求項１に記載のテレビジョン信号受信システム。
【請求項５】
上記信号受信装置は、
上記装置筐体に上記端末筐体が装着されたとき、上記第１及び第２の信号受信アンテナ間の電気長が上記テレビジョン信号の放送周波数の波長に対して１／４波長程度となるように当該第２の信号受信アンテナの配置位置が選定された
ことを特徴とする請求項４に記載のテレビジョン信号受信システム。
【請求項６】
上記携帯端末は、
携帯電話機でなり、
上記信号受信装置は、
上記携帯電話機に設けられた２次電池を充電する充電器でなる
ことを特徴とする請求項１に記載のテレビジョン信号受信システム。
【請求項７】
信号受信装置に着脱可能に装着され、テレビジョン放送の受信機でなる携帯端末であって、
送信局から送信されたテレビジョン信号を第１のテレビジョン信号として受信する第１の信号受信アンテナと、
上記信号受信装置への装着時、当該信号受信装置に設けられた第２の信号受信アンテナで上記テレビジョン信号を第２のテレビジョン信号として受信して送信された当該第２のテレビジョン信号を取り込む信号取込手段と、
上記信号受信装置への装着時、上記第１の信号受信アンテナで受信した上記第１のテレビジョン信号と、上記信号取込手段で取り込んだ上記第２のテレビジョン信号とをダイバーシチ処理するダイバーシチ処理手段と、
上記信号受信装置への未装着時、上記第１の信号受信アンテナで受信した上記第１のテレビジョン信号のみを放送番組の視聴用に信号処理し、上記信号受信装置への装着時、上記ダイバーシチ処理手段による上記第１のテレビジョン信号と上記第２のテレビジョン信号との上記ダイバーシチ処理結果を上記信号処理する信号処理手段と
を具えることを特徴とする携帯端末。
【請求項８】
送信局から送信されたテレビジョン信号を第１のテレビジョン信号として受信して放送番組の視聴用に受信処理する携帯端末を着脱可能に装着する信号受信装置であって、
上記携帯端末の装着時、当該携帯端末に設けられた第１の信号受信アンテナで、上記送信局から送信された上記テレビジョン信号が上記第１のテレビジョン信号として受信されるとき、当該送信局から送信された上記テレビジョン信号を第２のテレビジョン信号として受信する第２の信号受信アンテナと、
上記第２の信号受信アンテナで受信した上記第２のテレビジョン信号を、上記第１の信号受信アンテナにより受信された上記第１のテレビジョン信号と、当該第２のテレビジョン信号とのダイバーシチ処理用に上記携帯端末に送出する信号送出手段と
を具えることを特徴とする信号受信装置。
【請求項９】
テレビジョン放送の受信機でなる携帯端末と、当該携帯端末を着脱可能に装着する信号受信装置とから構築されたテレビジョン信号受信システムによるテレビジョン信号受信処理方法であって、
上記信号受信装置に上記携帯端末が装着されたとき、当該携帯端末に設けられた第１の信号受信アンテナでテレビジョン信号を第１のテレビジョン信号として受信すると共に、上記信号受信装置に設けられた第２の信号受信アンテナで上記テレビジョン信号を第２のテレビジョン信号として受信するテレビジョン信号受信ステップと、
上記第１及び第２の信号受信アンテナで受信した上記第１及び第２のテレビジョン信号をダイバーシチ処理するダイバーシチ処理ステップと
を具えることを特徴とするテレビジョン信号受信処理方法。
【請求項１０】
信号受信装置に着脱可能に装着され、テレビジョン放送の受信機でなる携帯端末のテレビジョン信号受信処理方法であって、
上記信号受信装置への上記携帯端末の装着時、当該携帯端末に設けられた第１の信号受信アンテナで、送信局から送信されたテレビジョン信号を第１のテレビジョン信号として受信すると共に、上記信号受信装置に設けられた第２の信号受信アンテナで、上記送信局から送信された上記テレビジョン信号を第２のテレビジョン信号として受信させ、当該受信させた上記第２のテレビジョン信号を取り込む信号取込ステップと、
上記第１の信号受信アンテナで受信した上記第１のテレビジョン信号と、上記信号受信装置から取り込んだ上記第２のテレビジョン信号とをダイバーシチ処理するダイバーシチ処理ステップと
を具えることを特徴とする携帯端末のテレビジョン信号受信処理方法。
【請求項１１】
送信局から送信されたテレビジョン信号を第１のテレビジョン信号として受信して放送番組の視聴用に受信処理する携帯端末を着脱可能に装着する信号受信装置のテレビジョン信号受信処理方法であって、
上記信号受信装置に装着された上記携帯端末に設けられた第１の信号受信アンテナで、上記送信局から送信された上記テレビジョン信号が第１のテレビジョン信号として受信されるとき、上記信号受信装置に設けられた第２の信号受信アンテナで、上記送信局から送信された上記テレビジョン信号を第２のテレビジョン信号として受信するテレビジョン信号受信ステップと、
上記第２の信号受信アンテナで受信した上記第２のテレビジョン信号を、上記第１の信号受信アンテナにより受信された上記第１のテレビジョン信号と、上記第２のテレビジョン信号とのダイバーシチ処理用に上記携帯端末に送出する信号送出ステップと
を具えることを特徴とする信号受信装置のテレビジョン信号受信処理方法。
【発明の詳細な説明】
【技術分野】
【０００１】
本発明はテレビジョン信号受信システムに関し、例えば携帯電話機と当該携帯電話機駆動用の２次電池を充電する充電器とから構築され、地上デジタルテレビジョン放送のテレビジョン信号を受信するテレビジョン信号受信システムに適用して好適なものである。
【背景技術】
【０００２】
従来の携帯無線機と車載アダプタとから構築された携帯型無線通信装置は、携帯無線機本体を単独で使用する場合は当該携帯無線機に設けられた送受信アンテナを用いて無線通信し、携帯無線機を車載アダプタに接続して使用する場合は当該車載アダプタに接続され、自動車等の移動体に設置された送受信アンテナ及び受信アンテナを用いてダイバーシチ受信していた（例えば、特許文献１参照）。
【特許文献１】特開平６−２２４８０９号公報（第３頁、第４頁、第５頁、図１）
【発明の開示】
【発明が解決しようとする課題】
【０００３】
ところでかかる構成の携帯型無線通信装置については、現在運用規定が策定中である携帯電話機向けの地上デジタルテレビジョン放送を利用する場合、携帯無線機にテレビジョン信号受信用の１本の信号受信アンテナを設けてテレビジョン信号を受信することにより当該携帯無線機の表示部及びスピーカを介して地上デジタルテレビジョン放送の放送番組をユーザに視聴させることが考えられる。
【０００４】
ところが地上デジタルテレビジョン放送におけるテレビジョン信号の通信形態は、所定の放送地域内に設置された東京タワーのような１つの送信局からのみテレビジョン信号を送信しているため、当該送信局から見てビルの陰になる場所や自宅及び会社等の室内ではテレビジョン信号のマルチパスに起因して受信電界が時間的に変動する、いわゆるフェージングの発生により信号受信アンテナの受信効率が低下して信号品質が著しく劣化する場合がある。
【０００５】
このためかかる携帯型無線通信装置に対しては、車載アダプタに接続されている送受信アンテナ及び受信アンテナをテレビジョン信号受信用の２本の信号受信アンテナに替え、携帯無線機を車載アダプタに接続した場合に当該２本の信号受信アンテナを用いてテレビジョン信号をダイバーシチ受信することによりフェージングを補償又は軽減して信号品質を改善する方法が考えられる。
【０００６】
しかしながらかかる方法によれば、携帯電話機に設けた信号受信アンテナとは別に、移動体にもダイバーシチ受信用の２本の信号受信アンテナを設置するため、携帯型無線通信装置において信号受信アンテナの本数が増えて構成が煩雑化するという問題があった。
【０００７】
本発明は以上の点を考慮してなされたもので、簡易な構成でテレビジョン信号の信号品質を改善し得るテレビジョン信号受信システムを提案しようとするものである。
【課題を解決するための手段】
【０００８】
かかる課題を解決するため本発明においては、テレビジョン放送の受信機でなる携帯端末と、当該携帯端末を着脱可能に装着する信号受信装置とから構築されたテレビジョン信号受信システムにおいて、当該携帯端末を信号受信装置に装着した状態で携帯端末の第１の信号受信アンテナで送信局から送信されたテレビジョン信号を第１のテレビジョン信号として受信したとき、信号受信装置に設けられた第２の信号受信アンテナで送信局から送信されたテレビジョン信号を第２のテレビジョン信号として受信して携帯端末に送出し、当該携帯端末で第１の信号受信アンテナで受信した第１のテレビジョン信号と、信号受信装置から取り込んだ第２のテレビジョン信号とをダイバーシチ処理するようにした。
【０００９】
従って、携帯端末を単独でテレビジョン放送の受信機として使用する場合に用いる第１の信号受信アンテナを、当該携帯端末及び信号受信装置を合わせてテレビジョン放送の受信機として使用する場合にも第１のテレビジョン信号の受信に兼用することで、ダイバーシチ処理の実現用にテレビジョン信号受信システムに設ける信号受信アンテナの本数を減らすことができる。
【発明の効果】
【００１０】
本発明によれば、信号受信装置に装着された携帯端末の第１の信号受信アンテナで、送信局から送信されたテレビジョン信号を第１のテレビジョン信号として受信したとき、信号受信装置の第２の信号受信アンテナで、当該送信局から送信されたテレビジョン信号を第２のテレビジョン信号として受信して携帯端末に送出し、当該携帯端末により、第１の信号受信アンテナで受信した第１のテレビジョン信号と、信号受信装置から取り込んだ第２のテレビジョン信号とをダイバーシチ処理するようにしたことにより、携帯端末を単独でテレビジョン放送の受信機として使用する場合に用いる第１の信号受信アンテナを、当該携帯端末及び信号受信装置を合わせてテレビジョン放送の受信機として使用する場合にも第１のテレビジョン信号の受信に兼用することで、ダイバーシチ処理の実現用にテレビジョン信号受信システムに設ける信号受信アンテナの本数を減らすことができ、かくして簡易な構成でテレビジョン信号の信号品質を改善することができる。
【発明を実施するための最良の形態】
【００１１】
以下図面について、本発明の一実施の形態を詳述する。
【００１２】
（１）第１の実施の形態
図１及び図２において、１は全体として携帯電話機２及び充電器３から構築されたテレビジョン信号受信システムを示し、当該携帯電話機２の縦長の比較的薄い直方体状に形成された電話機筐体４に対して背面板４Ａの一端部（以下、これを下端部と呼ぶ）に形成された切欠部５に、２次電池が内蔵されたバッテリパック６が装着されると共に、下端面板４Ｂに電話機コネクタ７が設けられている。
【００１３】
一方、充電器３は、上面板９Ａが長方形の直方体状に形成された充電器筐体９を有し、当該上面板９Ａの長手方向の一端部（以下、これを前端部と呼ぶ）にその長手方向と長辺の直交する長方形の開口を有する凹部でなる装着部１０が形成され、当該装着部１０の底面板１０Ａに電話機コネクタ７と対になる充電器コネクタ１１が設けられている。
【００１４】
これにより充電器３は、電話機筐体４の正面板４Ｃが充電器筐体９の前端部側に向けられた状態で当該電話機筐体４の下端部側が、正面板４Ｃの中央下側に設けられた各種操作キー１２を押下操作可能なように露出させ、かつ当該正面板４Ｃの下端部に内蔵されたマイクロホン１３を隠す程度に充電器筐体９の装着部１０に挿入されると、充電器コネクタ１１を電話機コネクタ７に接続し得るようになされている。
【００１５】
また充電器筐体９の後側面板９Ｂからは、当該充電器筐体９内の充電回路１４に一端が接続された給電ケーブル１５が引き出され、当該給電ケーブル１５の他端を商用電源（図示せず）に接続し得るようになされている。
【００１６】
そして充電器３は、当該充電器３全体を制御する内部の制御部１６が充電器コネクタ１１と電話機コネクタ７との特定の端子同士の導通の有無を検出することにより、携帯電話機２が充電器３に装着されたか否か（すなわち、電話機筐体４が充電器筐体９の装着部１０に挿入され、充電器コネクタ１１を電話機コネクタ７に接続したか否か）を判断し、当該携帯電話機２が充電器３に装着されると、商用電源から供給される電力を充電回路１４、充電器コネクタ１１及び電話機コネクタ７を順次介して携帯電話機２の電源部１７に供給し、かくして電源部１７においてバッテリパック６内の２次電池を充電する。
【００１７】
電話機筐体４内部の中央処理ユニット（CPU：Central Processing  Unit ）２０は、バッテリパック６内の２次電池が充電されると、電源部１７から電話機筐体４内部の各回路部にそれぞれ動作電力を供給して動作させると共に、メモリ２１に予め格納している各種プログラムに従って各回路部を制御して各種処理を実行する。
【００１８】
これにより中央処理ユニット２０は、携帯電話機２が単独で使用された状態で各種操作キー１２の押下操作に応じて通話処理を実行すると、マイクロホン１３でユーザの音声を集音し、得られたアナログの音声信号を信号処理部２４を介してデジタルの音声データとして送受信処理部２５に取り込んで所定の送信処理を施すことにより送信信号を生成し、当該生成した送信信号を電話機筐体４の他端部（以下、これを上端部と呼ぶ）の上端面板４Ｄ左側に設けられた引出収納式の無線通信用アンテナ２６から、無線通信システムの管理運営する基地局（図示せず）に送信する。
【００１９】
このとき中央処理ユニット２０は、基地局から送信された相手の音声に相当する受信信号を無線通信用アンテナ２６で受信して送受信処理部２５に取り込み、当該送受信処理部２５においてその受信信号に所定の受信処理を施し、得られたデジタルの音声データを信号処理部２４を介してアナログの音声信号として、電話機筐体４の正面板４Ｃの上端部に内蔵されたスピーカ２７に送出して相手の音声を出力することによりユーザと相手とを通話させる。
【００２０】
かかる構成に加えてこのテレビジョン信号受信システム１の場合、携帯電話機２は、電話機筐体４の上端面板４Ｄ右側に地上デジタルテレビジョン放送のテレビジョン信号を受信するホイップアンテナでなる１本の第１の信号受信アンテナ（以下、これを電話機用信号受信アンテナと呼ぶ）３０が引出収納可能に設けられている。
【００２１】
また充電器３は、充電器筐体９の上面板９Ａの他端部（以下、これを後端部と呼ぶ）に地上デジタルテレビジョン放送のテレビジョン信号を受信するホイップアンテナでなる１本の第２の信号受信アンテナ（以下、これを充電器用信号受信アンテナと呼ぶ）３１が垂設されている。
【００２２】
さらに図３に示すように、充電器３は、携帯電話機２が装着された場合、電話機用信号受信アンテナ３０及び充電器用信号受信アンテナ３１間の電気長Ｌが、地上デジタルテレビジョン放送の放送番組毎の放送周波数（例えば、470 〔MHz 〕乃至770 〔MHz 〕）の波長うち例えば最も低い（すなわち、最も波長の長い）放送周波数（すなわち、470 〔MHz 〕）の波長に対して１／４波長程度となるように当該充電器用信号受信アンテナ３１の配置位置が選定されている。
【００２３】
これにより充電器３は、電話機用信号受信アンテナ３０及び充電器用信号受信アンテナ３１でそれぞれ受信するテレビジョン信号の位相相関を最も小さくして、当該電話機用信号受信アンテナ３０及び充電器用信号受信アンテナ３１により、送信局から異なる通信経路（すなわち、マルチパス）で到来するテレビジョン信号を受信することができ、かくして電話機用信号受信アンテナ３０及び充電器用信号受信アンテナ３１の両方で空間ダイバーシチ方式によりテレビジョン信号をダイバーシチ受信し得るようになされている。
【００２４】
そして携帯電話機２の中央処理ユニット２０（図２）は、当該携帯電話機２を起動させている間、電話機コネクタ７と充電器コネクタ１１との特定の端子同士の導通の有無を検出することにより、携帯電話機２が充電器３に装着されているか否かを検出している。
【００２５】
この状態で中央処理ユニット２０は、操作キー１２を介して地上デジタルテレビジョン放送の放送番組視聴要求が入力されると、その時点における電話機コネクタ７及び充電器コネクタ１１の特定の端子同士の導通の有無の検出結果に基づいて、携帯電話機２が充電器３に装着されているか否かを判断する。
【００２６】
この結果、中央処理ユニット２０は、携帯電話機２が充電器３に装着されていないときには、当該携帯電話機２を単独で地上デジタルテレビジョン放送の受信機として機能させる単独受信機機能モードに移行し、電話機用信号受信アンテナ３０で受信したテレビジョン信号Ｓ１を信号切替回路３５を介して高周波復調部３６に取り込んで位相調整及び利得調整を含む復調処理した後、アナログデジタル変換回路３７でアナログデジタル変換することにより、例えばＭＰＥＧ（Moving Picture Experts Group）規格に準じたデジタルのトランスポートストリームでなる放送番組データＤ１を再生成し、これをデコーダ３８において復号処理することにより放送番組の番組映像データＤ２及び番組音声データＤ３を生成する。
【００２７】
これにより中央処理ユニット２０は、信号処理部２４において番組映像データＤ２及び番組音声データＤ３をそれぞれデジタルアナログ変換し、得られた番組映像信号Ｓ２を電話機筐体４の正面板４Ｃの中央上側に設けられた表示部３９に送出して番組映像を表示すると共に、番組音声信号Ｓ３をスピーカ２７に送出して番組音声を出力することによりユーザに地上デジタルテレビジョン放送の放送番組を視聴させる。
【００２８】
また中央処理ユニット２０は、放送番組視聴要求が入力された時点に携帯電話機２が充電器３に装着されているときには、充電器３の制御部１６にテレビジョン信号Ｓ１の受信の実行を指示することにより当該携帯電話機２及び充電器３を合わせて地上デジタルテレビジョン放送の受信機として機能させる複合受信機機能モードに移行し、電話機用信号受信アンテナ３０及び充電器用信号受信アンテナ３１の両方をダイバーシチ受信用に動作させる。
【００２９】
ここで地上デジタルテレビジョン放送では、実際には送信局から、所定単位毎に区切ったテレビジョン信号Ｓ１と、受信側での番組映像及び番組音声の生成にはほとんど寄与しない送信信号とを順次交互に送信している。
【００３０】
従って中央処理ユニット２０は、電話機用信号受信アンテナ３０で受信したテレビジョン信号（以下、これを特に第１のテレビジョン信号と呼ぶ）Ｓ１Ａ及び送信信号（以下、これを特に第２の送信信号と呼ぶ）Ｓ５Ａを信号切替回路３５に取り込む。
【００３１】
また充電器３の制御部１６は、このとき商用電源から供給される電力に基づいて動作し、充電器用信号受信アンテナ３１で受信したテレビジョン信号（すなわち、第１のテレビジョン信号Ｓ１Ａに対して、元は同じでありながら通信経路の違いにより位相のずれたテレビジョン信号であり、以下、このテレビジョン信号を特に第２のテレビジョン信号と呼ぶ）Ｓ１Ｂ及び送信信号（すなわち、第１の送信信号Ｓ５Ａに対して、元は同じでありながら通信経路の違いにより位相のずれた送信信号であり、以下、この送信信号を特に第２の送信信号と呼ぶ）Ｓ５Ｂを充電器コネクタ１１及び電話機コネクタ７を順次介して信号切替回路３５に送出する。
【００３２】
切替制御部４０は、送信局から送信信号が送信されている期間（以下、これをガードインターバル期間と呼ぶ）には、信号切替回路３５を制御して、電話機用信号受信アンテナ３０に接続された第１の入力端子３５Ａと、充電器用信号受信アンテナ３１に接続された第２の入力端子３５Ｂとの出力端子３５Ｃに対する接続を高速に切り替えることにより、当該電話機用信号受信アンテナ３０で受信した第１の送信信号Ｓ５Ａをアナログデジタル変換回路４１を介してデジタルの第１の送信データＤ５Ａとして取り込むと共に、充電器用信号受信アンテナ３１で受信した第２の送信信号Ｓ５Ｂをアナログデジタル変換回路４１を介してデジタルの第２の送信データＤ５Ｂとして取り込む。
【００３３】
これにより切替制御部４０は、第１及び第２の送信データＤ５Ａ及びＤ５Ｂに基づいて、電話機用信号受信アンテナ３０及び充電器用信号受信アンテナ３１の受信電界強度をそれぞれ検出して比較する。
【００３４】
その結果、切替制御部４０は、電話機用信号受信アンテナ３０の受信電界強度が充電器用信号受信アンテナ３１の受信電界強度よりも大きいと、当該電話機用信号受信アンテナ３０の方が充電器用信号受信アンテナ３１よりもアンテナ利得が最大となる方向と送信信号の到来する方向（すなわち、テレビジョン信号Ｓ１の到来する方向と同じ）とが一致又は近いことでテレビジョン信号Ｓ１を効率良く受信し得ることにより、その電話機用信号受信アンテナ３０をテレビジョン信号Ｓ１の受信用に選択する。
【００３５】
そして切替制御部４０は、この後、送信局から送信信号に替えてテレビジョン信号Ｓ１が送信される期間（以下、これをテレビジョン信号送信期間と呼ぶ）には、信号切替回路３５を制御して第１の入力端子３５Ａを出力端子３５Ｃに接続することにより電話機用信号受信アンテナ３０で受信した第１のテレビジョン信号Ｓ１Ａのみを当該信号切替回路３５を介して高周波復調部３６に送出する。
【００３６】
また切替制御部４０は、電話機用信号受信アンテナ３０の受信電界強度よりも充電器用信号受信アンテナ３１の受信電界強度が大きいと、当該電話機用信号受信アンテナ３０よりも充電器用信号受信アンテナ３１の方がアンテナ利得が最大となる方向と送信信号の到来する方向（すなわち、テレビジョン信号Ｓ１の到来する方向と同じ）とが一致又は近いことでテレビジョン信号Ｓ１を効率良く受信し得ることにより、その充電器用信号受信アンテナ３１をテレビジョン信号Ｓ１の受信用に選択する。
【００３７】
これにより切替制御部４０は、この後、テレビジョン信号送信期間には、信号切替回路３５を制御して第２の入力端子３５Ｂを出力端子３５Ｃに接続することにより充電器用信号受信アンテナ３１で受信した第２のテレビジョン信号Ｓ１Ｂのみを当該信号切替回路３５を介して高周波復調部３６に送出する。
【００３８】
このようにして切替制御部４０は、テレビジョン信号送信期間毎に信号切替回路３５を制御して、電話機用信号受信アンテナ３０及び充電器用信号受信アンテナ３１で受信した第１及び第２のテレビジョン信号Ｓ１Ａ及びＳ１Ｂのうち高周波復調部３６に送出する一方の第１及び第２のテレビジョン信号Ｓ１Ａ及びＳ１Ｂを切り替える切替ダイバーシチ処理を実行することにより、２本の電話機用信号受信アンテナ３０及び充電器用信号受信アンテナ３１で受信した第１及び第２のテレビジョン信号Ｓ１Ａ及びＳ１Ｂのうち効率良く受信して劣化の少ない一方、すなわち信号品質の良好な一方を選択的に高周波復調部３６に送出する。
【００３９】
そして中央処理ユニット２０は、このようにして電話機用信号受信アンテナ３０及び充電器用信号受信アンテナ３１で受信した第１及び第２のテレビジョン信号Ｓ１Ａ及びＳ１Ｂのうち切替ダイバーシチ処理で選択した一方の第１及び第２のテレビジョン信号Ｓ１Ａ及びＳ１Ｂを、高周波復調部３６、アナログデジタル変換回路３７、デコーダ３８、信号処理部２４、表示部３９及びスピーカ２７でそれぞれ上述した単独受信機機能モードと同様に放送番組の視聴用に信号処理（以下、これを視聴用信号処理と呼ぶ）することにより、ユーザに放送番組を視聴させる。
【００４０】
以上の構成において、携帯電話機１の中央処理ユニット２０は、操作キー１２を介して地上デジタルテレビジョン放送の放送番組の視聴が要求されると、メモリ２１に予め記憶しているテレビジョン信号受信処理プログラムに従って図４に示すテレビジョン信号受信処理手順ＲＴ１を実行する。
【００４１】
中央処理ユニット２０は、テレビジョン信号受信処理手順ＲＴ１を実行すると、ステップＳＰ１において、充電器３に携帯電話機２が装着されているか否かを判断する。
【００４２】
このステップＳＰ１において肯定結果が得られると、このことは充電器３に対してバッテリパック６内の２次電池の充電用に携帯電話機２が装着されていることを表しており、このとき中央処理ユニット２０は、続くステップＳＰ２に移る。
【００４３】
ステップＳＰ２において中央処理ユニット２０は、切替ダイバーシチ処理により、電話機用信号受信アンテナ３０及び充電器用信号受信アンテナ３１のうち受信電界強度の大きい一方の電話機用信号受信アンテナ３０又は充電器用信号受信アンテナ３１で受信した第１又は第２のテレビジョン信号Ｓ１Ａ又はＳ１Ｂを高周波復調部３６に送出するように信号切替回路３５で切り替えて当該第１及び第２のテレビジョン信号Ｓ１Ａ及びＳ１Ｂを視聴用信号処理することにより放送番組をユーザに視聴させて、続くステップＳＰ３に移る。
【００４４】
このようにして中央処理ユニット２０は、充電器３に携帯電話機２が装着されている状態では、切替ダイバーシチ処理により、電話機用信号受信アンテナ３０及び充電器用信号受信アンテナ３１で受信した第１及び第２のテレビジョン信号Ｓ１Ａ及びＳ１Ｂのうち信号品質の良好な一方を順次選択することで、送信局から送信されたテレビジョン信号Ｓ１のマルチパスに起因するフェージングを軽減することができ、かくして番組映像及び番組音声の劣化を極力抑えてユーザに放送番組を視聴させることができる。
【００４５】
これに対してステップＳＰ２において否定結果が得られると、このことは充電器３から携帯電話機２が外されて外出先等で使用されていることを表しており、このとき中央処理ユニット２０は、ステップＳＰ４に移る。
【００４６】
ステップＳＰ４において中央処理ユニット２０は、電話機用信号受信アンテナ３０で受信したテレビジョン信号Ｓ１のみを視聴用信号処理することにより放送番組をユーザに視聴させて、続くステップＳＰ３に移る。
【００４７】
このようにして中央処理ユニット２０は、充電器３に携帯電話機２が装着されていない状態でも、電話機用信号受信アンテナ３０でテレビジョン信号Ｓ１を受信してユーザに放送番組を視聴させることができる。
【００４８】
ステップＳＰ３において中央処理ユニット２０は、放送番組の視聴を終了するか否かを判断し、否定結果が得られると、ステップＳＰ１に戻ることにより、この後、ステップＳＰ３において肯定結果を得るまでの間はステップＳＰ１−ＳＰ２−ＳＰ３又はステップＳＰ１−ＳＰ４−ＳＰ３の処理を循環的に繰り返して携帯電話機２単独又は当該携帯電話機２及び充電器３によってテレビジョン信号Ｓ１を受信し、かくしてユーザに放送番組を視聴させる。
【００４９】
そしてステップＳＰ３において中央処理ユニット２０は、操作キー１２を介して放送番組の視聴終了命令が入力されたことで肯定結果を得ると、続くステップＳＰ５に移ってこのテレビジョン信号受信処理手順ＲＴ１を終了する。
【００５０】
以上の構成によれば、携帯電話機２が充電器３から外された場合は、当該携帯電話機２に設けた電話機用信号受信アンテナ３０で受信したテレビジョン信号Ｓ１のみを視聴用信号処理し、携帯電話機２が充電器３に装着された場合は、当該携帯電話機２に設けた電話機用信号受信アンテナ３０と充電器３に設けた充電器用信号受信アンテナ３１とでそれぞれ受信した第１及び第２のテレビジョン信号Ｓ１Ａ及びＳ１Ｂのうち切替ダイバーシチ処理により信号品質の良い何れか一方の第１及び第２のテレビジョン信号Ｓ１Ａ及びＳ１Ｂを順次選択して視聴用信号処理するようにしたことにより、携帯電話機２を単独で地上デジタルテレビジョン放送の受信機として使用する場合と、当該携帯電話機２及び充電器３を合わせて地上デジタルテレビジョン放送の受信機として使用する場合の両方で電話機用信号受信アンテナ３０を兼用して動作させることで、空間ダイバーシチの実現用にテレビジョン信号受信システム１に設ける信号受信アンテナの本数を減らすことができ、かくして簡易な構成でテレビジョン信号Ｓ１の信号品質を改善し得るテレビジョン信号受信システム１を実現することができる。
【００５１】
またテレビジョン信号受信システム１は、携帯電話機２が充電器３に装着された状態で放送番組を視聴させる場合、電話機用信号受信アンテナ３０及び充電器用信号受信アンテナ３１で受信した第１及び第２のテレビジョン信号Ｓ１Ａ及びＳ１Ｂを切替ダイバーシチ処理するようにしたことにより、携帯電話機２に対してバッテリパック６内の２次電池の充電用に充電器３が使用される自宅や会社等の室内のように、テレビジョン信号Ｓ１のマルチパスに起因してフェージングの発生し易い場所でも、切替ダイバーシチ処理によりテレビジョン信号Ｓ１の信号品質を改善して、番組映像及び番組音声の劣化を極力抑えた放送番組をユーザに視聴させることができ、かくして地上デジタルテレビジョン放送の放送地域内であるにもかかわらずにフェージングによるテレビジョン信号Ｓ１の信号品質の劣化で放送番組の視聴場所が限定されることを防止することができる。
【００５２】
そしてテレビジョン信号受信システム１は、携帯電話機２が充電器３に装着された状態で放送番組を視聴させるときには、当該充電器３によりバッテリパック６内の２次電池を充電しながら動作することにより、放送番組を長時間視聴させることができる。
【００５３】
さらにテレビジョン信号受信システム１は、充電器３において充電器筐体９の後端部に充電器用信号受信アンテナ３１が垂設され、当該充電器筐体９の前端部に設けられた装着部１０に電話機筐体４の下端部が正面板４Ｃを前端部側に向けた状態で挿入されることにより、充電器３に携帯電話機２が装着された状態で放送番組が視聴されるとき、電話機筐体４の正面板４Ｃ側（すなわち、充電器筐体９の前端部側）から、携帯電話機２の表示部３９に表示した番組映像を見るユーザに対して充電器用信号受信アンテナ３１を当該電話機筐体４の背面板４Ａ側に位置させて極力離すことができる。
【００５４】
従ってテレビジョン信号受信システム１は、充電器用信号受信アンテナ３１に放送番組視聴中のユーザの手が触れてアンテナ利得が低下し、第２のテレビジョン信号Ｓ１Ｂの信号品質がフェージングによる劣化以上にさらに劣化することを防止することができ、かくして切替ダイバーシチ処理によりテレビジョン信号Ｓ１の信号品質を的確に改善させることができる。
【００５５】
これに加えてテレビジョン信号受信システム１は、携帯電話機２の電話機筐体４が比較的薄く形成され、その電話機筐体４の正面板４Ｃを充電器筐体９の前端部側に向けた状態で当該電話機筐体４を充電器筐体９の上面板９Ａ前端部に設けられた装着部１０に装着させるため、電話機筐体４の上端面板４Ｄ右側に設けた電話機用信号受信アンテナ３０を充電器筐体９の前側面板（すなわち、充電器筐体９の前端部側の側面板）側に極力近づけて位置させることができ、かくして電話機用信号受信アンテナ３０及び充電器用信号受信アンテナ３１の配置位置の関係（すなわち、電話機用信号受信アンテナ３０及び充電器用信号受信アンテナ３１間の電気長Ｌを確保するための配置位置の関係）により充電器筐体９が上面板９Ａの長手方向に対して無駄に大型化することを防止することができる。
【００５６】
なお上述の第１の実施の形態においては、充電器３に対して商用電源から電力を供給するようにした場合について述べたが、本発明はこれに限らず、充電器３に対して、車等の移動体に設けられた２次電池から電力を供給するようにしても良く、このようにすれば、ユーザが移動体に乗り込んだときにも携帯電話機２を充電器３に装着した状態で電話機用信号受信アンテナ３０及び充電器用信号受信アンテナ３１で受信した第１及び第２のテレビジョン信号Ｓ１Ａ及びＳ１Ｂを切替ダイバーシチ処理することで、移動中の移動体内でもフェージングの発生によるテレビジョン信号Ｓ１の信号品質の劣化を改善してユーザに放送番組を視聴させることができる。
【００５７】
また上述の第１の実施の形態においては、電話機筐体４の正面板４Ｃを充電器筐体９の前端部側に向けた状態で当該電話機筐体４を充電器筐体９の上面板９Ａ前端部に設けられた装着部１０に装着するようにした場合について述べたが、本発明はこれに限らず、電話機筐体４の右側面板（すなわち、電話機筐体４の上端面板４Ｄに設けられた電話機用信号受信アンテナ３０よりの側面板）を充電器筐体９の前端部側に向けた状態で当該電話機筐体４を、充電器筐体９の上面板９Ａ前端部に設けられた当該上面板９Ａの長手方向と長辺が平行な長方形の開口を有する装着部に装着するようにしても良い。
【００５８】
そして充電器筐体９に対するかかる電話機筐体４の装着方法でも、電話機筐体４の上端面板４Ｄ右側に設けた電話機用信号受信アンテナ３０を充電器筐体９の前側面板側に極力近づけて位置させることができ、かくして電話機用信号受信アンテナ３０及び充電器用信号受信アンテナ３１の配置位置の関係により当該充電器筐体９が上面板９Ａの長手方向に対して無駄に大型化することを防止することができる。
【００５９】
（２）第２の実施の形態
図１及び図２との対応部分に同一符号を付して示す図５及び図６は、第２の実施の形態によるテレビジョン信号受信システム５０を示し、携帯電話機５１及び充電器５２の一部回路構成を除いて上述した第１の実施の形態によるテレビジョン信号受信システム１と同様に構成されている。
【００６０】
この場合、携帯電話機５１の中央処理ユニット５５は、当該携帯電話機５１を起動させている間、電話機コネクタ７と充電器コネクタ１１との特定の端子同士の導通の有無を検出することにより、当該携帯電話機５１が充電器５２に装着されているか否かを検出しており、携帯電話機５１が充電器５２に装着されてはいない状態で操作キー１２を介して放送番組視聴要求が入力されると、携帯電話機５１を単独で地上デジタルテレビジョン放送の受信機として機能させる単独受信機機能モードに移行する。
【００６１】
これにより中央処理ユニット５５は、電話機用信号受信アンテナ３０で受信したテレビジョン信号Ｓ１を高周波復調部５６に取り込んで位相調整及び利得調整を含む復調処理した後、アナログデジタル変換回路５７でアナログデジタル変換することにより、例えばＭＰＥＧ規格に準じたデジタルのトランスポートストリームでなる放送番組データＤ１を再生成し、これをデータ合成部５８を介してデコーダ３８に取り込んで復号処理することにより放送番組の番組映像データＤ２及び番組音声データＤ３を生成する。
【００６２】
そして中央処理ユニット５５は、信号処理部２４において番組映像データＤ２及び番組音声データＤ３をそれぞれデジタルアナログ変換し、得られた番組映像信号Ｓ２を表示部３９に送出して番組映像を表示すると共に、番組音声信号Ｓ３をスピーカ２７に送出して番組音声を出力することによりユーザに地上デジタルテレビジョン放送の放送番組を視聴させる。
【００６３】
また中央処理ユニット５５は、放送番組視聴要求が入力された時点に携帯電話機５１が充電器５２に装着されているときには、当該充電器５２の制御部６０にテレビジョン信号Ｓ１の受信の実行を指示することにより当該携帯電話機５１及び充電器５２を合わせて地上デジタルテレビジョン放送の受信機として機能させる複合受信機機能モードに移行し、電話機用信号受信アンテナ３０で受信した第１のテレビジョン信号Ｓ１Ａを高周波復調部５６に取り込んで復調処理した後、アナログデジタル変換回路５７でアナログデジタル変換することにより第１の放送番組データＤ１Ａを再生成し、これをデータ合成部５８に取り込む。
【００６４】
さらに充電器５２の制御部６０は、このとき商用電源から供給される電力に基づいて動作し、充電器用信号受信アンテナ３１で受信した第２のテレビジョン信号Ｓ１Ｂを高周波復調部６１に取り込んで位相調整及び利得調整を含む復調処理した後、アナログデジタル変換回路６２でアナログデジタル変換することにより例えばＭＰＥＧ規格に準じたデジタルのトランスポートストリームでなる第２の放送番組データＤ１Ｂを再生成し、これを充電器コネクタ１１及び電話機コネクタ７を順次介してデータ合成部５８に送出する。
【００６５】
データ合成部５８は、第１及び第２の放送番組データＤ１Ａ及びＤ１Ｂの受信Ｓ／Ｎ（シグナル／ノイズ）比をそれぞれ検出する。
【００６６】
その結果、データ合成部５８は、検出した受信Ｓ／Ｎ比が大きければ、第１及び第２の放送番組データＤ１Ａ及びＤ１Ｂに重畳されたノイズが小さいことにより、電話機用信号受信アンテナ３０及び充電器用信号受信アンテナ３１で第１及び第２のテレビジョン信号Ｓ１Ａ及びＳ１Ｂを効率良く受信したと判断し、当該受信Ｓ／Ｎ比が大きいほど、値の大きい重付係数を選択する。
【００６７】
これに対してデータ合成部５８、検出した受信Ｓ／Ｎ比が小さければ、第１及び第２の放送番組データＤ１Ａ及びＤ１Ｂに重畳されたノイズが大きいことにより、電話機用信号受信アンテナ３０及び充電器用信号受信アンテナ３１で受信した第１及び第２のテレビジョン信号Ｓ１Ａ及びＳ１Ｂが劣化していると判断し、当該受信Ｓ／Ｎ比が小さいほど、値の小さい重付係数を選択する。
【００６８】
そしてデータ合成部５８は、第１及び第２の放送番組データＤ１Ａ及びＤ１Ｂを、それぞれ検出した受信Ｓ／Ｎ比に応じた値の重付係数を乗算して重付加算することにより、劣化している第１及び第２のテレビジョン信号Ｓ１Ａ及びＳ１Ｂよりも、効率良く受信して劣化の少ない第１及び第２のテレビジョン信号Ｓ１Ａ及びＳ１Ｂの割り合いを増加させた合成放送番組データＤ１０を生成し、これをデコーダ３８に送出する。
【００６９】
このようにして中央処理ユニット５５は、電話機用信号受信アンテナ３０及び充電器用信号受信アンテナ３１でそれぞれ第１及び第２のテレビジョン信号Ｓ１Ａ及びＳ１Ｂを受信して得られた第１及び第２の放送番組データＤ１Ａ及びＤ１Ｂを電力Ｓ／Ｎ比に応じて重付加算する最大比合成によるダイバーシチ処理（以下、これを最大比合成ダイバーシチ処理と呼ぶ）を実行して合成放送番組データＤ１０を生成し、当該生成した合成放送番組データＤ１０を信号処理部２４、表示部３９及びスピーカ２７でそれぞれ上述した単独受信機機能モード同様に視聴用信号処理することによりユーザに放送番組を視聴させる。
【００７０】
以上の構成において、携帯電話機５１の中央処理ユニット５５は、操作キー１２を介して地上デジタルテレビジョン放送の放送番組の視聴が要求されると、メモリ２１に予め記憶しているテレビジョン信号受信処理プログラムに従って図７に示すテレビジョン信号受信処理手順ＲＴ２を実行する。
【００７１】
中央処理ユニット５５は、テレビジョン信号受信処理手順ＲＴ２を実行すると、ステップＳＰ１１において、充電器５２に携帯電話機５１が装着されているか否かを判断する。
【００７２】
このステップＳＰ１１において肯定結果が得られると、このことは充電器５２に対してバッテリパック６内の２次電池の充電用に携帯電話機５１が装着されていることを表しており、このとき中央処理ユニット５５は、続くステップＳＰ１２に移る。
【００７３】
ステップＳＰ１２において中央処理ユニット５５は、最大比合成ダイバーシチ処理により、電話機用信号受信アンテナ３０及び充電器用信号受信アンテナ３１でそれぞれ受信した第１及び第２のテレビジョン信号Ｓ１Ａ及びＳ１Ｂに基づく第１及び第２の放送番組データＤ１Ａ及びＤ１Ｂを受信Ｓ／Ｎ比に応じた重付係数を用いて重付加算して合成放送番組データＤ１０を生成し、当該生成した合成放送番組データＤ１０を視聴用信号処理することによりユーザに放送番組を視聴させて、続くステップＳＰ１３に移る。
【００７４】
このようにして中央処理ユニット５５は、充電器５２に携帯電話機５１が装着されている状態では、最大比合成ダイバーシチ処理により、第１及び第２の放送番組データＤ１Ａ及びＤ１Ｂに重畳しているノイズを大幅に低減させることで、送信局から送信されるテレビジョン信号Ｓ１のマルチパスに起因して生じるフェージングを補償して放送番組データの品質を合成放送番組データＤ１０として改善することができ、かくして番組映像及び番組音声の劣化を極力抑えてユーザに放送番組を視聴させることができる。
【００７５】
これに対してステップＳＰ１２において否定結果が得られると、このことは充電器５２から携帯電話機５１が外されて外出先等で使用されていることを表しており、このとき中央処理ユニット５５は、ステップＳＰ１４に移る。
【００７６】
ステップＳＰ１４において中央処理ユニット５５は、電話機用信号受信アンテナ３０で受信したテレビジョン信号Ｓ１のみを視聴用信号処理することによりユーザに放送番組を視聴させて、続くステップＳＰ１３に移る。
【００７７】
このようにして中央処理ユニット５５は、充電器５２に携帯電話機５１が装着されていない状態でも、電話機用信号受信アンテナ３０でテレビジョン信号Ｓ１を受信してユーザに放送番組を視聴させることができる。
【００７８】
ステップＳＰ１３において中央処理ユニット５５は、放送番組の視聴を終了するか否かを判断し、否定結果が得られるとステップＳＰ１１に戻ることにより、この後、ステップＳＰ１３において肯定結果が得られるまでの間は、ステップＳＰ１１−ＳＰ１２−ＳＰ１３又はステップＳＰ１１−ＳＰ１４−ＳＰ１３の処理を循環的に繰り返すことにより携帯電話機５１単独又は当該携帯電話機５１及び充電器５２によってテレビジョン信号Ｓ１を受信してユーザに放送番組を視聴させる。
【００７９】
そしてステップＳＰ１３において中央処理ユニット５５は、操作キー１２を介して放送番組の視聴終了命令が入力されたことにより肯定結果を得ると、続くステップＳＰ１５に移ってこのテレビジョン信号受信処理手順ＲＴ２を終了する。
【００８０】
以上の構成によれば、携帯電話機５１が充電器５２から外された場合は、当該携帯電話機５１に設けた電話機用信号受信アンテナ３０で受信したテレビジョン信号Ｓ１を視聴用信号処理し、携帯電話機５１が充電器５２に装着された場合は、当該携帯電話機５１に設けた電話機用信号受信アンテナ３０と充電器５２に設けた充電器用信号受信アンテナ３１とでそれぞれ受信した第１及び第２のテレビジョン信号Ｓ１Ａ及びＳ１Ｂに基づく第１及び第２の放送番組データＤ１Ａ及びＤ１Ｂを最大比合成ダイバーシチ処理により受信Ｓ／Ｎ比に応じた重付係数を用いて重付加算して合成放送番組データＤ１０を生成するようにしたことにより、上述した第１の実施の形態によって得られる効果と同様の効果を得ることができると共に、これに加えて第１及び第２の放送番組データＤ１Ａ及びＤ１Ｂを受信Ｓ／Ｎ比に応じた重付係数係を用いて重付加算することで、第１及び第２のテレビジョン信号Ｓ１Ａ及びＳ１Ｂに重畳していたノイズを大幅に低減させて合成放送番組データＤ１０を生成することができ、かくしてテレビジョン信号Ｓ１の信号品質を格段的に向上させることができる。
【００８１】
なお上述の第２の実施の形態においては、充電器５２に対して商用電源から電力を供給するようにした場合について述べたが、本発明はこれに限らず、充電器５２に対して、車等の移動体に設けられた２次電池から電力を供給するようにしても良く、このようにすれば、ユーザが移動体に乗り込んだときにも携帯電話機５１を充電器５２に装着した状態で電話機用信号受信アンテナ３０及び充電器用信号受信アンテナ３１で受信した第１及び第２のテレビジョン信号Ｓ１Ａ及びＳ１Ｂに基づく第１及び第２の放送番組データＤ１Ａ及びＤ１Ｂを最大比合成ダイバーシチ処理することで、移動中の移動体内でもフェージングの発生によるテレビジョン信号Ｓ１の信号品質の劣化を改善してユーザに放送番組を視聴させることができる。
【００８２】
（３）他の実施の形態
なお上述の第１及び第２の実施の形態においては、本発明を図１乃至図７について上述したテレビジョン信号受信システム１に適用するようにした場合について述べたが、本発明はこれに限らず、テレビジョン放送の受信機能を有するＰＤＡ（Personal Digital Assistance ）及びその充電器から構築されたテレビジョン信号受信システムや、携帯電話機又はＰＤＡと、内蔵２次電池により動作可能で充電器３及び５２と同様に空間ダイバーシチ用の信号受信アンテナが設けられた信号受信装置とから構築されたテレビジョン信号受信システム等のように、この他種々のテレビジョン信号受信システムに広く適用することができる。
【００８３】
この場合、かかる信号受信装置を有するテレビジョン信号受信システムでは、例えば充電器３及び５２の充電器筐体９及び充電器用信号受信アンテナ３０をそれぞれ折畳可能に形成するように信号受信装置を形成すれば、当該信号受信装置の携帯性を向上させることができる。
【００８４】
そしてかかるテレビジョン信号受信システムでは、このような信号受信装置に携帯電話機２及び５１やＰＤＡを装着すれば、テレビジョン信号Ｓ１の送信局から見て建物の陰になるフェージングの発生し易い場所でも、テレビジョン信号Ｓ１の信号品質を改善して、番組映像及び番組音声の劣化を極力抑えた放送番組をユーザに視聴させることができ、かくして地上デジタルテレビジョン放送の放送地域内であるにもかかわらずにフェージングによるテレビジョン信号Ｓ１の信号品質の劣化で放送番組の視聴場所が限定されることを上述した第１及び第２の実施の形態よりもさらに改善することができる。
【００８５】
また上述の第１及び第２の実施の形態においては、テレビジョン放送の受信機でなる携帯端末として、図１乃至図７について上述した携帯電話機２及び５１を適用するようにした場合について述べたが、本発明はこれに限らず、地上アナログテレビジョン放送や衛星デジタルテレビジョン放送のテレビジョン信号を受信する携帯電話機及びＰＤＡ等のように、この他種々の携帯端末を広く適用することができる。
【００８６】
さらに上述の第１及び第２の実施の形態においては、テレビジョン放送の受信機でなる携帯端末を着脱可能に装着する信号受信装置として、図１乃至図７について上述した充電器３及び５２を適用するようにした場合について述べたが、本発明はこれに限らず、ＰＤＡの充電器や、充電機能をもたない、地上アナログテレビジョン放送や衛星デジタルテレビジョン放送のテレビジョン信号受信用の信号受信装置等のように、この他種々の信号受信装置を広く適用することができる。
【００８７】
さらに上述の第１及び第２の実施の形態においては、送信局から送信されたテレビジョン信号を第１のテレビジョン信号として受信する第１の信号受信アンテナとして、図１乃至図７について上述したホイップアンテナでなる電話機用信号受信アンテナ３０を適用するようにした場合について述べたが、本発明はこれに限らず、板状アンテナ等のように、この他種々の第１の信号受信アンテナを広く適用することができる。
【００８８】
さらに上述の第１及び第２の実施の形態においては、信号受信装置への装着時、当該信号受信装置からテレビジョン信号を第２のテレビジョン信号として受信して送信された当該第２のテレビジョン信号を取り込む信号取込手段として、図１乃至図７について上述した電話機用コネクタ７を適用するようにした場合について述べたが、本発明はこれに限らず、信号受信装置と携帯端末との間の第２のテレビジョン信号の通信方式に応じた赤外線受光部等のように、この他種々の信号取込手段を広く適用することができる。
【００８９】
さらに上述の第１及び第２の実施の形態においては、信号受信装置への装着時、第１の信号受信アンテナで受信した第１のテレビジョン信号と、信号取込手段で取り込んだ第２のテレビジョン信号とをダイバーシチ処理するダイバーシチ処理手段として、図１乃至図７について上述した切替ダイバーシチ処理を実行する切替制御部４０及び信号切替回路３５や、最大比合成ダイバーシチ処理を実行するデータ合成部５８を適用するようにした場合について述べたが、本発明はこれに限らず、選択合成法や等利得合成法によるダイバーシチ処理を実行するダイバーシチ処理回路等のように、この他種々のダイバーシチ処理手段を広く適用することができる。
【００９０】
さらに上述の第１及び第２の実施の形態においては、信号受信装置への未装着時、第１の信号受信アンテナで受信した第１のテレビジョン信号のみを放送番組の視聴用に信号処理し、信号受信装置への装着時、ダイバーシチ処理手段による第１のテレビジョン信号と第２のテレビジョン信号とのダイバーシチ処理結果を信号処理する信号処理手段として、図１乃至図７について上述した高周波復調部３６、アナログデジタル変換回路３７、デコーダ３８、中央処理ユニット２０、信号処理ぶ２４、表示部３９及びスピーカ２７や、デコーダ３８、中央処理ユニット５５、信号処理部２４、表示部３９及びスピーカ２７を適用するようにした場合について述べたが、本発明はこれに限らず、信号受信装置への未装着時、第１の信号受信アンテナで受信した第１のテレビジョン信号のみを放送番組の視聴用に信号処理し、信号受信装置への装着時、ダイバーシチ処理手段による第１のテレビジョン信号と第２のテレビジョン信号とのダイバーシチ処理結果を信号処理することができれば、この他種々の構成の信号処理手段を広く適用することができる。
【００９１】
さらに上述の第１及び第２の実施の形態においては、送信局から送信されたテレビジョン信号を第２のテレビジョン信号として受信する第２の信号受信アンテナとして、図１乃至図７について上述したホイップアンテナでなる１本の充電器用信号受信アンテナ３１を適用するようにした場合について述べたが、本発明はこれに限らず、空間ダイバーシチ用の複数本のホイップアンテナや、１又は複数の板状アンテナ等のように、この他種々の第２の信号受信アンテナを広く適用することができる。
【００９２】
さらに上述の第１及び第２の実施の形態においては、携帯端末の装着時、第２の信号受信アンテナで受信した第２のテレビジョン信号を携帯端末に送出する信号送出手段として、図１乃至図７について上述した制御部１６及び６０並びに充電器コネクタ１１を適用するようにした場合について述べたが、本発明はこれに限らず、信号受信装置と携帯端末との間の第２のテレビジョン信号の通信方式に応じた赤外線発射部等のように、この他種々の信号送出手段を広く適用することができる。
【００９３】
さらに上述の第１及び第２の実施の形態においては、第１及び第２の信号受信アンテナの受信電界強度をそれぞれ定期的に検出する受信電界強度検出手段として、図１乃至図７について上述した切替制御部４０を適用するようにした場合について述べたが、本発明はこれに限らず、切替制御部４０から独立した受信電界強度検出回路のように、この他種々の受信電界強度検出手段を広く適用することができる。
【００９４】
さらに上述の第１及び第２の実施の形態においては、第１及び第２のテレビジョン信号の受信Ｓ／Ｎ比を検出する受信Ｓ／Ｎ比検出手段として、図１乃至図７について上述したデータ合成部５８を適用するようにした場合について述べたが、本発明はこれに限らず、データ合成部５８から独立した受信Ｓ／Ｎ比検出回路のように、この他種々の受信Ｓ／Ｎ比検出手段を広く適用することができる。
【００９５】
さらに上述の第１及び第２の実施の形態においては、第１及び第２のテレビジョン信号を、受信Ｓ／Ｎ比検出手段で検出した受信Ｓ／Ｎ比に応じた重付係数を乗算して重付加算することにより最大比合成ダイバーシチ処理を実行する合成手段として、図１乃至図７について上述した高周波復調部５６及び６１、アナログデジタル変換回路５７及び６２、データ合成部５８を適用するようにした場合について述べたが、本発明はこれに限らず、第１及び第２のテレビジョン信号Ｓ１Ａ及びＳ１Ｂをアナログの段階で最大比合成ダイバーシチ処理する合成部のように、この他種々の合成手段を広く適用することができる。
【００９６】
さらに上述の第１及び第２の実施の形態においては、所定位置に第１の信号受信アンテナが配置された端末筐体として、図１乃至図７について上述した縦長の比較的薄い直方体状に形成された電話機筐体４を適用するようにした場合について述べたが、本発明はこれに限らず、ヒンジ部を介して折畳可能に形成された比較的薄い直方体状の第１及び第２の筐体等のように、この他種々の端末筐体を広く適用することができる。
【００９７】
さらに上述の第１及び第２の実施の形態においては、所定面板の一端部に端末筐体が正面板を一端部側に向けて装着される装着部を有し、当該所定面板の他端部に第２の信号受信アンテナが配置された装置筐体として、図１乃至図７について上述した上面板９Ａが長方形の直方体状に形成された充電器筐体９を適用するようにした場合について述べたが、本発明はこれに限らず、ヒンジ部を介して折畳可能に形成された第１及び第２の筐体等のように、この他種々の装置筐体を広く適用することができる。
【産業上の利用可能性】
【００９８】
本発明は、携帯電話機及び充電器や、携帯電話機及び信号受信装置等のテレビジョン信号受信システムに利用することができる。
【図面の簡単な説明】
【００９９】
【図１】本発明によるテレビジョン信号受信システムの全体構成の第１の実施の形態を示す略線的斜視図である。
【図２】携帯電話機及び充電器の回路構成を示すブロック図である。
【図３】携帯電話機が充電器に装着されたときの電話機用信号受信アンテナ及び充電器用信号受信アンテナの配置の説明に供する略線的斜視図である。
【図４】テレビジョン信号受信処理手順を示すフローチャートである。
【図５】第２の実施の形態によるテレビジョン信号受信システムの全体構成を示す略線的斜視図である。
【図６】携帯電話機及び充電器の回路構成を示すブロック図である。
【図７】テレビジョン信号受信処理手順を示すフローチャートである。
【符号の説明】
【０１００】
５０……テレビジョン信号受信システム、２、５１……携帯電話機、３、５２……充電器、４……電話機筐体、６……バッテリパック、７……電話機コネクタ、９……充電器筐体、１０……装着部、１１……充電器コネクタ、１４……充電回路、１６、６０……制御部、２０、５５……中央処理ユニット、２４……信号処理部、２７……スピーカ、３０……電話機用信号受信アンテナ、３１……充電器用信号受信アンテナ、３５……信号切替回路、３６、５６、６１……高周波復調部、３７、４１、５７、６２……アナログデジタル変換回路、３８……デコーダ、３９……表示部、４０……切替制御部、５６、６１……高周波復調部、５７、６２……アナログデジタル変換回路、５８……データ合成部、Ｓ１……テレビジョン信号、Ｓ１Ａ……第１のテレビジョン信号、Ｓ１Ｂ……第２のテレビジョン信号、Ｄ１Ａ……第１の放送番組データ、Ｄ１Ｂ……第２の放送番組データ、Ｄ１０……合成放送番組データ、ＲＴ１、ＲＴ２……テレビジョン信号受信処理手順。
【図１】
2005136724.tif 000003
【図２】
2005136724.tif 000004
【図３】
2005136724.tif 000005
【図４】
2005136724.tif 000006
【図５】
2005136724.tif 000007
【図６】
2005136724.tif 000008
【図７】
2005136724.tif 000009